(57)【特許請求の範囲】
【請求項１】
水栓とホースの端部に設けられるホース継手とを通水可能に接続し、
前記ホース継手が脱落すると、前記水栓からの通水を停止する水栓継手であって、
前記ホース継手が装着される継手本体と、
該継手本体内に形成される通水路と、
該通水路の途中部に形成される弁座と、
前記通水路内に摺動可能に設けられ、前記弁座に対して着座する方向への付勢力が付与される止水弁と、を備え、
前記止水弁は、
前記通水路が開いた状態において該止水弁の弁軸直交方向への傾動を規制する傾動規制部材を備え、
前記ホース継手が前記継手本体に装着された状態では、前記止水弁が前記付勢力に抗して前記弁座から離間し前記通水路を開くとともに、該止水弁の弁軸直交方向への傾動が規制され、
前記ホース継手が前記継手本体から脱落した状態では、前記止水弁が前記付勢力により前記弁座に着座し前記通水路を閉じるとともに、該止水弁の弁軸直交方向に傾動可能となり、該弁座に着座した状態の該止水弁を弁軸直交方向に傾動させると、該止水弁が該弁座から離間する、
ことを特徴とする水栓継手。
【請求項２】
前記止水弁には、前記通水路の内周面に向いて突起する前記傾動規制部材となる突起部が設けられ、
前記通水路の内周面には、前記ホース継手が前記継手本体に装着された状態のときに、該突起部と対向して当接する当接部が設けられ、
該突起部が該当接部に当接することにより、該止水弁の弁軸直交方向への傾動が規制される、
ことを特徴とする請求項１に記載の水栓継手。
【請求項３】
前記止水弁には、前記通水路の内周面に内接して該止水弁の弁軸直交方向への傾動を規制する、前記傾動規制部材となる弾性変形可能な一対のガイド部材が設けられ、
前記ホース継手が前記継手本体から脱落した状態のときに、該一対のガイド部材が弾性変形することにより、該止水弁が弁軸直交方向に傾動される、
ことを特徴とする請求項１に記載の水栓継手。
【請求項４】
前記止水弁は、前記ホース継手側の端部の外周面が、前記通水路内に設けられた状態で該通水路の内周面と面一になるように形成されている、
ことを特徴とする請求項１または請求項２に記載の水栓継手。
【請求項５】
前記止水弁は、バネにより前記付勢力を付与されており、
該バネは、前記ホース継手が前記継手本体に装着された状態では、前記止水弁の上部に収納される、
ことを特徴とする請求項１から請求項４までのいずれか一項に記載の水栓継手。
【発明の詳細な説明】
【技術分野】
【０００１】
本発明は、水栓とホースの端部に設けられるホース継手とを通水可能に接続し、前記ホース継手が脱落すると、前記水栓からの通水を停止する水栓継手の技術に関する。
【背景技術】
【０００２】
従来、水栓とホースの端部に設けられるホース継手とを通水可能に接続し、前記ホース継手が脱落すると、前記水栓からの通水を停止する水栓継手の技術は公知となっている（例えば、特許文献１参照）。
【０００３】
ここで、このような水栓継手について、図１３から図１５に示す水栓継手１０１を例として説明する。なお、図１３から図１５に示す「黒矢印」は、水の流れ（水路）を示す。
図１３に示すように、水栓継手１０１は、水栓１０２とホース１０４とを通水可能に接続する。
具体的には、前記水栓継手１０１は、水栓１０２とホース１０４の端部に設けられるホース継手１０３とを接続することにより、水栓継手１０１に設けられる止水弁１１１の係合部１１１ｅがホース継手本体１３１の小径部１３１ａと係合し、該止水弁１１１がバネ１１５の付勢力に抗して弁座１１２ｄから離間して前記水栓継手１０１の通水路１０１ｐが開くこととなって、前記水栓１０２とホース１０４とが通水可能に接続される。
また、図１４に示すように、水栓継手１０１からホース継手１０３が脱落した状態では、係合部１１１ｅと小径部１３１ａとの係合が外れることにより、止水弁１１１がバネ１１５の付勢力により弁座１１２ｄに着座して前記通水路１０１ｐを閉じることとなり、水栓１０２とホース１０４との通水が停止する。
また、該通水停止時において、止水弁１１１を傾動（図１４に示す角度θ３）させることにより、止水弁１１１が弁座１１２ｄから僅かに離間して、水栓継手１０１内における止水弁１１１よりも水栓１０２側の通水路１０１ｐの内圧を減圧できるように構成されている。
【特許文献１】特開２００３−１６０９５５号公報
【発明の開示】
【発明が解決しようとする課題】
【０００４】
上記従来の水栓継手１０１は、止水弁１１１が傾動可能に構成され、通水停止時において止水弁１１１を傾動させることにより内圧を減圧できる利点がある反面、水栓１０２とホース１０４とが通水可能に接続された状態で該水栓１０２からホース１０４への給水を行う給水中において、水流等の影響により止水弁１１１の姿勢が不安定となり易い。このため、図１５に示すように、給水時に止水弁１１１の姿勢が崩れて係合部１１１ｅと小径部１３１ａとの係合が外れ、止水弁１１１がホース継手本体１３１内に落ち込んで水路（止水弁１１１と弁座１１２ｄとの間隔）が狭くなり、給水量が不意に低下することがある。
【０００５】
本発明は以上の状況に鑑み、給水停止時の内圧の減圧が容易であり、かつ安定した給水を確保できる水栓継手を提供することを目的とする。
【課題を解決するための手段】
【０００６】
本発明の解決しようとする課題は以上のとおりであり、次にこの課題を解決するための手段を説明する。
【０００７】
すなわち、請求項１においては、水栓とホースの端部に設けられるホース継手とを通水可能に接続し、前記ホース継手が脱落すると、前記水栓からの通水を停止する水栓継手であって、前記ホース継手が装着される継手本体と、該継手本体内に形成される通水路と、該通水路の途中部に形成される弁座と、前記通水路内に摺動可能に設けられ、前記弁座に対して着座する方向への付勢力が付与される止水弁と、を備え、前記止水弁は、前記通水路が開いた状態において該止水弁の弁軸直交方向への傾動を規制する傾動規制部材を備え、前記ホース継手が前記継手本体に装着された状態では、前記止水弁が前記付勢力に抗して前記弁座から離間し前記通水路を開くとともに、該止水弁の弁軸直交方向への傾動が規制され、前記ホース継手が前記継手本体から脱落した状態では、前記止水弁が前記付勢力により前記弁座に着座し前記通水路を閉じるとともに、該止水弁の弁軸直交方向に傾動可能となり、該弁座に着座した状態の該止水弁を弁軸直交方向に傾動させると、該止水弁が該弁座から離間するものである。
【０００８】
請求項２においては、前記止水弁には、前記通水路の内周面に向いて突起する前記傾動規制部材となる突起部が設けられ、前記通水路の内周面には、前記ホース継手が前記継手本体に装着された状態のときに、該突起部と対向して当接する当接部が設けられ、該突起部が該当接部に当接することにより、該止水弁の弁軸直交方向への傾動が規制されるものである。
【０００９】
請求項３においては、前記止水弁には、前記通水路の内周面に内接して該止水弁の弁軸直交方向への傾動を規制する、前記傾動規制部材となる弾性変形可能な一対のガイド部材が設けられ、前記ホース継手が前記継手本体から脱落した状態のときに、該一対のガイド部材が弾性変形することにより、該止水弁が弁軸直交方向に傾動されるものである。
【００１０】
請求項４においては、前記止水弁は、前記ホース継手側の端部の外周面が、前記通水路内に設けられた状態で該通水路の内周面と面一になるように形成されているものである。
【００１１】
請求項５においては、前記止水弁は、バネにより前記付勢力を付与されており、該バネは、前記ホース継手が前記継手本体に装着された状態では、前記止水弁の上部に収納されるものである。
【発明の効果】
【００１２】
本発明の効果として、以下に示すような効果を奏する。
【００１３】
請求項１においては、
給水時においては止水弁の傾動が規制されるため止水弁の姿勢が安定し、止水弁の姿勢が不安定となって給水量が不意に低下することがなく給水が安定する。また、給水停止時においては止水弁を傾動させて弁座から離間させることにより、内圧を容易に減圧できる。
【００１４】
請求項２においては、
止水弁の突起部と通水路の内周面の当接部とによる簡易かつ安価な構成で、給水時における止水弁の傾動が確実に規制されて止水弁の姿勢が安定することにより給水が安定する。
【００１５】
請求項３においては、
ガイド部材による簡易かつ安価な構成で、給水時における止水弁の傾動が確実に規制されて止水弁の姿勢が安定することにより給水が安定する。また、給水停止時においてはガイド部材が弾性変形することにより止水弁を傾動させて内圧を容易に減圧できる。
【００１６】
請求項４においては、
ホース継手を水栓継手に装着する際に、止水弁の端部が通水路の内周面に引っ掛からないため、内周面（パッキン等）を傷つけない。
【００１７】
請求項５においては、
給水がバネ内を通過しないため、給水に混入するゴミ等がバネに付着して給水量が低下しない。
【発明を実施するための最良の形態】
【００１８】
次に、発明を実施するための最良の形態を説明する。
図１は水栓とホースとを接続した本発明の第一実施例に係る水栓継手を示した断面図、図２は第一実施例に係る水栓継手本体を示した断面図、図３は（ａ）第一実施例に係る止水弁を示した正面図（ｂ）（ａ）におけるＡ―Ａ’端面図（ｃ）同じくＢ―Ｂ’端面図（ｄ）同じくＣ―Ｃ’端面図、図４は給水時の第一実施例に係る水栓継手の内部構造を示した断面図、図５は給水停止時の第一実施例に係る水栓継手の内部構造を示した断面図、図６は給水停止時に止水弁を傾動させた状態の第一実施例に係る水栓継手の内部構造を示した断面図、図７は水栓とホースとを接続した本発明の第二実施例に係る水栓継手を示した断面図、図８は第二実施例に係る水栓継手本体を示した断面図、図９は（ａ）第二実施例に係る止水弁を示した正面図（ｂ）同じく右側面図（ｃ）同じく底面図（ｄ）（ｂ）におけるＡ―Ａ’端面図（ｅ）同じくＢ―Ｂ’端面図、図１０は給水時の第二実施例に係る水栓継手の内部構造を示した断面図、図１１は給水停止時の第二実施例に係る水栓継手の内部構造を示した断面図、図１２は給水停止時に止水弁を傾動させた状態の第二実施例に係る水栓継手の内部構造を示した断面図、図１３は水栓とホースとを接続した従来の水栓継手を示した断面図、図１４は給水停止時の従来の水栓継手を示した断面図、図１５は給水時に止水弁の姿勢が不安定となった状態の従来の水栓継手を示した断面図である。
【００１９】
まず、本発明の第一実施例に係る水栓継手１について、図１から図６を用いて説明する。
図１に示すように、第一実施例に係る水栓継手１は、壁面（図示省略）に取り付けられた壁付の水栓２（例えば、洗濯機用水栓）の吐水口２１に装着されている。水栓継手１は、水栓２とホース４（厳密にはホース継手３）とを通水可能に接続するものであり、水栓２とホース４とが通水可能に接続された状態で該水栓２からホース４への給水が行われる給水中にホース継手３が脱落すると、給水を停止する機能を有している。
なお、以下の説明では、図１において紙面上下方向を「上方」、「下方」、紙面左右方向を「左方」、「右方」とする。また、本実施例においては、壁付の水栓２に水栓継手１を装着した使用例について説明するが、水栓継手１の使用用途は本実施例に限定するものではない。
【００２０】
ホース継手３は、ホース４の端部に設けられており、ホース継手本体３１と、ボール３３・３３と、スライドリング３２と、を備え、ホース４を水栓継手１に着脱可能に装着するようになっている。
【００２１】
ホース継手本体３１は、ホース継手３の本体を成す筒（円筒）状の部材であって、開口下部がホース４の端部に嵌入されて固定され、開口上部に水栓継手１の水栓継手本体１２が嵌入されている。ホース継手本体３１の内周面には、環状溝（図符号無し）が形成されて該環状溝にパッキン３４が嵌装されており、該パッキン３４によりホース継手本体３１と水栓継手本体１２との間をシールして漏水を防止している。ホース継手本体３１の内周下部には、内径が縮径された小径部３１ａが形成されており、該小径部３１ａに水栓継手１の止水弁１１の下端（係合部１１ｅ）が係合されている。ホース継手本体３１の上部には、ボール３３・３３が設けられるボール孔（図符号無し）が穿設されている。
【００２２】
ボール３３・３３は、前記ボール孔にそれぞれ転動自在に設けられており、水栓継手本体１２の係合溝１２ｃ（図２参照）に係合・脱着されるようになっている。ボール３３・３３は、ホース継手本体３１の上下方向軸に対して互いに対向する位置（図１において紙面左右方向）に設けられている。なお、本実施例ではボール３３・３３と直交する位置（図１において紙面奥行き方向）に、ボール３３・３３と同様に図示しない二つのボールが転動自在に設けられている。
【００２３】
スライドリング３２は、ホース継手本体３１に上下方向に摺動可能に外嵌される環状部材であって、ボール３３・３３を水栓継手本体１２の係合溝１２ｃに係合・脱着させるようになっている。スライドリング３２の内周面には、環状に突起してボール３３・３３に当接する突起部３２ｂが形成されている。スライドリング３２とホース継手本体３１との間（具体的には、突起部３２ｂの下面とホース継手本体３１の外周面との間）には、バネ３２ｃが介設されており、該バネ３２ｃによりスライドリング３２が上方向に付勢されている。スライドリング３２の外周面には、弾性変形してガイドプレート１４に係合・脱着されるフック３２ａが一体的に成形されており、該フック３２ａがガイドプレート１４の外縁に係止されることにより、ホース継手３と水栓継手１との接続状態を保持してホース継手３が水栓継手１から不意に脱落することを防止している。
【００２４】
このような構成により、ホース継手３においては、ホース継手本体３１に水栓継手１（水栓継手本体１２）が嵌入された状態で、スライドリング３２がバネ３２ｃの付勢力により上方向に押し上げられると、突起部３２ｂがボール３３・３３に当接し、ボール３３・３３が転動して水栓継手本体１２の係合溝１２ｃに係合する。これにより、ホース継手３と水栓継手１との嵌入方向への相対的移動が規制され、ホース継手３が水栓継手１に装着される。
反対に、スライドリング３２がバネ３２ｃの付勢力に抗して下方向に押し下げられると、突起部３２ｂがボール３３・３３から離間し、ボール３３・３３が転動して係合溝１２ｃとの係合が解除されることにより、ホース継手３が水栓継手１から脱着される。
【００２５】
次に、水栓継手１について、図１から図５を用いて説明する。
図１に示すように、水栓継手１は、継手本体（水栓継手本体）１２と、ガイドプレート１４と、メスホルダ１３と、バネガイド１７と、止水弁１１と、を備える。
【００２６】
ガイドプレート１４は、水栓継手本体１２の外周に形成された鍔部（図符号無し）に設けられている環状部材であって、該ガイドプレート１４の外縁にホース継手３のスライドリング３２のフック３２ａが係止されるようになっている。
【００２７】
メスホルダ１３は、筒（円筒）状の部材であって、該メスホルダ１３を介して水栓２（吐水口２１）と水栓継手１（水栓継手本体１２）とを接続するようになっている。メスホルダ１３の上部の内周面にはネジ溝が形成されており、該ネジ溝を介してメスホルダ１３の開口上部が水栓２の吐水口２１に螺嵌される。メスホルダ１３の開口下部には、水栓継手本体１２の水栓接続部１２ａ（図２参照）が嵌入されているとともに、メスホルダ１３と水栓継手本体１２との間でＯリング１８が水栓継手本体１２に外嵌されており、該Ｏリング１８によりメスホルダ１３と水栓継手本体１２との間をシールして漏水を防止している。
【００２８】
バネガイド１７は、水栓継手本体１２の開口上部に嵌合された環状部材であって、部材中央部に設けられたガイド部１７ａでバネ１５の上部を支持・案内するようになっている。ガイド部１７ａは、底面が開放された筒（円筒）状部であって、該ガイド部１７ａ内にバネ１５が内挿されて該バネ１５の下部が底面から突出している。ガイド部１７ａの周囲には、水栓２側とホース４側とを連通する水路となる複数の通水孔（図符号無し）が形成されている。
バネ１５は、上部がバネガイド１７のガイド部１７ａに支持・案内され、下部が止水弁１１の受け部１１ｄ（図３（ａ）参照）に支持されており、止水弁１１を下方（止水弁１１が弁座１２ｄに着座する方向）に付勢している。
【００２９】
図２に示すように、水栓継手本体１２は、水栓継手１の本体を成す筒（円筒）状の部材であって、水栓継手本体１２内には水栓２側からホース４側にかけて貫通する通水路１２ｐが形成されている。水栓継手本体１２は、開口上部がメスホルダ１３（図１参照）を介して水栓２に接続される水栓接続部１２ａとされ、開口下部がホース継手本体３１に嵌入されるホース継手接続部１２ｂとされている。水栓継手本体１２の外周における上下中途部には、上下円筒の外径が縮径されたくびれ部が形成されており、該くびれ部がホース継手３のボール３３が係合する係合溝１２ｃとされている。水栓継手本体１２内に形成される通水路１２ｐの途中部には、止水弁１１が着座する弁座１２ｄが形成されている。
【００３０】
弁座１２ｄは、通水路１２ｐの内径が下方に向かって徐々に縮径された斜面で形成されており、該弁座１２ｄに止水弁１１（栓部１１ａ）が着座することにより、通水路１２ｐを閉じて水栓２からホース４への給水を停止することが可能となっている。弁座１２ｄの下部には、給水時（図４に示す止水弁１１の栓部１１ａが弁座１２ｄから離間して通水路１２ｐが開いた状態。以下、適宜「給水時」という。）に止水弁１１の突起部１１ｃと対向して当接する当接部１２ｅが設けられている。
【００３１】
当接部１２ｅは、通水路１２ｐ（ホース継手接続部１２ｂ側）の内径が縮径（内径Ｄ）され、弁座１２ｄの下端から下方向に所定の長さ（長さＬ）に形成されている。具体的には、当接部１２ｅは、図４に示す止水弁１１の栓部１１ａが弁座１２ｄから離間して通水路１２ｐが開いた状態（給水時）においては、突起部１１ｃと対向して当接するが、図５に示す止水弁１１の栓部１１ａが弁座１２ｄに着座して通水路１２ｐが閉じた状態（以下、適宜「給水停止時」という。）においては、突起部１１ｃが当接しないように形成されている。
【００３２】
図３（ａ）に示すように、止水弁１１は、栓部１１ａと、軸部１１ｂと、を備え、栓部１１ａが弁座１２ｄに着座することで通水路１２ｐを閉じ、水栓２からホース４側への給水を停止することが可能となっているとともに、栓部１１ａが弁座１２ｄから離間することで通水路１２ｐを開き、水栓２からホース４側への給水を行うことが可能となっている。
【００３３】
栓部１１ａは、下部に弁座１２ｄの斜面形状に嵌合するテーパー状の着座面Ｐ１が形成されており、該着座面Ｐ１が弁座１２ｄに着座することで通水路１２ｐを閉じるようになっている。また、通水路１２ｐが閉じられた際、栓部１１ａの下部（着座面Ｐ１）が弁座１２ｄに嵌合することにより、止水弁１１の下方への移動が確実に規制されるようになっている。
栓部１１ａの下部外周面（着座面Ｐ１）には、環状溝（図符号無し）が形成され、該環状溝にＯリング１６が外嵌されている。該Ｏリング１６を介して栓部１１ａが弁座１２ｄに着座することにより、栓部１１ａと弁座１２ｄとの間をシールして漏水を防止し、確実に通水路１２ｐを閉じて給水を停止するようになっている。栓部１１ａの上部には、円筒状の凹みである受け部１１ｄが形成されており、該受け部１１ｄの底面にバネ１５の下部が支持されている。
【００３４】
受け部１１ｄは、図４に示すように、底面でバネ１５の下部を支持するとともに、バネガイド１７のガイド部１７ａと協動して給水時にバネ１５を凹み内に収納するようになっている。具体的には、給水時に受け部１１ｄの開口上部がガイド部１７ａの下部で覆われて（換言すると、蓋されて）、バネ１５を凹み内に収納して通水路１２ｐから隔離するようになっている。
【００３５】
軸部１１ｂは、栓部１１ａの下部で止水弁１１の軸体を構成している。軸部１１ｂは、図３（ｂ）に示すように、断面形状が略矢印状に形成されており、該矢印形状の終端（右端）が当接部１２ｅに当接し、該矢印形状の始端（左端）と当接部１２ｅとの間には隙間ｔが形成されている。軸部１１ｂの左側の上下中途部（図３（ａ）参照）には、当接部１２ｅに向いて突起する突起部１１ｃ（傾動規制部材）が設けられている。
【００３６】
突起部１１ｃは、端部（左端）が当接部１２ｅに当接するように（換言すると、前記隙間ｔの長さ）突起している。すなわち、図３（ｃ）に示すように、止水弁１１は、軸部１１ｂの右端（矢印形状の終端）と左端（突起部１１ｃ）とが当接部１２ｅに当接し、当接部１２ｅの内径Ｄと止水弁１１の左右幅とが略一致するように形成されている。
【００３７】
軸部１１ｂのホース継手３側の下端部の外周面（右側面）は、止水弁１１を通水路１２ｐに嵌装した状態で、通水路１２ｐ（ホース継手接続部１２ｂ側）の内周面と面一になるように形成され（図３（ｄ）参照）、ホース継手本体３１の小径部３１ａに係合される係合部１１ｅとされている。係合部１１ｅは、通水路１２ｐ（ホース継手接続部１２ｂ側）の内周面に沿って平面視円弧状に形成されている。
【００３８】
次に、給水時及び給水停止時における第一実施例に係る止水弁１１の挙動について、図６を加えて説明する。なお、図４から図６に示す「黒矢印」は、水の流れ（水路）を示す。
【００３９】
まず、図４に示す給水時においては、水栓２に接続された水栓継手１にホース継手３が装着されており、止水弁１１の係合部１１ｅにホース継手本体３１の小径部３１ａが係合されることにより、止水弁１１（栓部１１ａ）がバネ１５の付勢力に抗して水栓２側へ移動して弁座１２ｄから離間する（すなわち、止水弁１１は、図５に示す姿勢から図４に示す姿勢へと変化する）。
ここで、止水弁１１は、係合部１１ｅの外周面（右側面）が通水路１２ｐ（ホース継手接続部１２ｂ側）の内周面に摺接し、軸部１１ｂの右側部（矢印形状の終端）及び突起部１１ｃが当接部１２ｅに摺接して弁座１２ｄから離間する。離間が完了した状態においては、止水弁１１は、軸部１１ｂの右側部（矢印形状の終端）と突起部１１ｃとが当接部１２ｅに当接している（図３（ｃ）参照）。すなわち、軸部１１ｂの右側部（矢印形状の終端）と、突起部１１ｃとが、当接部１２ｅに当接して協動することにより、止水弁１１の弁軸Ｓ１直交方向への相対的移動が規制されている。
こうして、止水弁１１は、軸部１１ｂの右側部（矢印形状の終端）と、突起部１１ｃとが、当接部１２ｅに当接することにより、弁軸Ｓ１が水栓継手本体１２の中心軸（通水路１２ｐの中心）と略一致した状態で拘束されて、弁軸Ｓ１直交方向への傾動が規制されている。
【００４０】
次に、図５に示す給水停止時においては、水栓継手１とホース継手３とが接続された給水中の状態から、水栓継手１からホース継手３が脱落した状態となっている。
この状態では、止水弁１１の係合部１１ｅとホース継手本体３１の小径部３１ａとの係合が外れ、止水弁１１（栓部１１ａ）がバネ１５の付勢力によりホース４側へ移動して弁座１２ｄに着座する（すなわち、止水弁１１は、図４に示す姿勢から図５に示す姿勢へと変化する）。
ここで、止水弁１１は、前記離間の際と同様に、係合部１１ｅの外周面（右側面）が通水路１２ｐ（ホース継手接続部１２ｂ側）の内周面に摺接し、軸部１１ｂの右側部（矢印形状の終端）及び突起部１１ｃが当接部１２ｅに摺接して弁座１２ｄに着座するが、着座が完了した状態においては、軸部１１ｂの右側部（矢印形状の終端）は、当接部１２ｅに当接されたままであるが、突起部１１ｃは当接部１２ｅよりも下方に位置しており、該当接部１２ｅとの当接が解除されている（図３（ｂ）参照）。すなわち、止水弁１１は、突起部１１ｃが当接部１２ｅの下方に退避し、当接部１２ｅと止水弁１１（軸部１１ｂの左端（矢印形状の始端））との間には、隙間ｔが形成されている。
こうして、止水弁１１は、該隙間ｔが形成されることにより上述した拘束が解除され、弁軸Ｓ１直交方向への傾動の規制が解除される。これにより、止水弁１１を弁軸Ｓ１直交方向へ傾動させることが可能となっている。
【００４１】
そして、水栓２からホース４への給水が行われている給水時からホース継手３が脱落して給水停止時の状態になった場合には、水栓継手１内には、水栓２から圧送された水が充填されており、止水弁１１（栓部１１ａ）を弁座１２ｄに押圧する内圧が作用している。
その際には、水栓２を閉じた上で、図６に示すように、栓部１１ａの一側（例えば、図６において右側）を支点として止水弁１１を傾動（角度θ１）させること（てこの原理）により、栓部１１ａの他側（図６において左側）を弁座１２ｄから僅かに離間させて、水栓継手１内に充填されている水を外部に放出し、内圧を容易に低減できる。
【００４２】
以上のように、第一実施例に係る水栓継手１においては、水栓２とホース４の端部に設けられるホース継手３とを通水可能に接続し、前記ホース継手３が脱落すると、前記水栓２からの通水を停止する水栓継手１であって、前記ホース継手３が装着される水栓継手本体１２と、該水栓継手本体１２内に形成される通水路１２ｐと、該通水路１２ｐの途中部に形成される弁座１２ｄと、前記通水路１２ｐ内に摺動可能に設けられ、前記弁座１２ｄに対して着座する方向への付勢力が付与される止水弁１１と、を備え、前記止水弁１１は、前記通水路１２ｐが開いた状態において該止水弁１１の弁軸Ｓ１直交方向への傾動を規制する突起部１１ｃを備え、前記ホース継手３が前記水栓継手本体１２に装着された状態では、前記止水弁１１が前記付勢力に抗して前記弁座１２ｄから離間し前記通水路１２ｐを開くとともに、該止水弁１１の弁軸Ｓ１直交方向への傾動が規制され、前記ホース継手３が前記水栓継手本体１２から脱落した状態では、前記止水弁１１が前記付勢力により前記弁座１２ｄに着座し前記通水路１２ｐを閉じるとともに、該止水弁１１の弁軸Ｓ１直交方向に傾動可能となり、該弁座１２ｄに着座した状態の該止水弁１１を弁軸Ｓ１直交方向に傾動させると、該止水弁１１が該弁座１２ｄから離間する。
このような構成により、給水時においては止水弁１１の傾動が規制されるため止水弁１１の姿勢が安定し、止水弁１１の姿勢が不安定となって給水量が不意に低下することがなく給水が安定する。また、給水停止時においては止水弁１１を傾動させて弁座１２ｄから離間させることにより、内圧を容易に減圧できる。
【００４３】
また、前記止水弁１１には、前記通水路１２ｐ（ホース継手接続部１２ｂ側）の内周面に向いて突起する突起部１１ｃが設けられ、前記通水路１２ｐ（ホース継手接続部１２ｂ側）の内周面には、前記ホース継手３が前記水栓継手本体１２に装着された状態のときに、該突起部１１ｃと対向して当接する当接部１２ｅが設けられ、該突起部１１ｃが該当接部１２ｅに当接することにより、該止水弁１１の弁軸Ｓ１直交方向への傾動が規制される。
このような構成により、止水弁１１の突起部１１ｃと通水路１２ｐの内周面の当接部１２ｅとによる簡易かつ安価な構成で、給水時における止水弁１１の傾動が確実に規制されて止水弁１１の姿勢が安定することにより給水が安定する。
【００４４】
また、前記止水弁１１は、前記ホース継手３側の端部（係合部１１ｅ）の外周面が、前記通水路１２ｐ内に設けられた状態で該通水路１２ｐの内周面と面一になるように形成されている。
このような構成により、ホース継手３を水栓継手１に装着する際に、止水弁１１の端部（係合部１１ｅ）が通水路１２ｐの内周面に引っ掛からないため、内周面（パッキン３４等）を傷つけない。
【００４５】
また、前記止水弁１１は、バネ１５により前記付勢力を付与されており、該バネ１５は、前記ホース継手３が前記水栓継手本体１２に装着された状態では、前記止水弁１１の上部（受け部１１ｄ）に収納される。
このような構成により、給水がバネ１５内を通過しないため、給水に混入するゴミ等がバネ１５に付着して給水量が低下しない。
【００４６】
次に、本発明の第二実施例に係る水栓継手２０１について、図７から図１２を用いて説明する。なお、図７から図１２に示した第一実施例と同一符号の部材は、第一実施例と同一の構成であるため詳細な説明は省略する。
【００４７】
図７に示すように、水栓継手２０１は、第一実施例に係る水栓継手１と同様に構成されるガイドプレート１４と、メスホルダ１３と、を備えるとともに、第一実施例に係る水栓継手１とは異なる構成の継手本体（水栓継手本体）２１２と、バネガイド２１７と、止水弁２１１と、を備える。
【００４８】
バネガイド２１７は、ガイド部２１７ａが第一実施例に係るガイド部１７ａよりも下方に長く形成されており、給水時においてガイド部２１７ａの下部が止水弁２１１の受け部２１１ｄ（図９（ａ）参照）に嵌合するようになっている。
【００４９】
図８に示すように、水栓継手本体２１２は、水栓継手２０１の本体を成す筒（円筒）状の部材であって、水栓継手本体２１２内には通水路２１２ｐが形成されている。水栓継手本体２１２は、開口上部が水栓接続部２１２ａとされ、開口下部がホース継手接続部２１２ｂとされている。水栓継手本体２１２の外周における上下中途部には、係合溝２１２ｃが形成されている。通水路２１２ｐの途中部には、弁座２１２ｄが形成されている。
【００５０】
図９（ａ）、（ｂ）に示すように、止水弁２１１は、栓部２１１ａと、軸部２１１ｂと、を備える。
栓部２１１ａは、下部に弁座２１２ｄの斜面形状に嵌合するテーパー状の着座面Ｐ２が形成されており、該着座面Ｐ２がＯリング１６を介して弁座２１２ｄに着座することで通水路２１２ｐを閉じるようになっている。また、通水路２１２ｐが閉じられた際、栓部２１１ａの下部（着座面Ｐ２）が弁座２１２ｄに嵌合することにより、止水弁２１１の下方への移動が確実に規制されるようになっている。栓部２１１ａの上部には、円筒状の凹みである受け部２１１ｄが形成されている。
【００５１】
受け部２１１ｄは、第一実施例に係る受け部１１ｄと同様に底面でバネ１５の下部を支持し、バネガイド２１７のガイド部２１７ａと協動して給水時にバネ１５を凹み内に収納するとともに、第二実施例では給水時においてガイド部２１７ａの下部が受け部２１１ｄに嵌合して挿入されることにより、止水弁２１１の姿勢が安定するようになっている（図１０参照）。受け部２１１ｄの底面中央部には、バネ１５を被装する突起部２１１ｆが突設されている。
【００５２】
軸部２１１ｂは、栓部２１１ａの下部で止水弁２１１の軸体を構成している。軸部２１１ｂは、通水路２１２ｐ（ホース継手接続部２１２ｂ側）の内周面に内接する摺接部２１１ｇを備える。軸部２１１ｂの下部には、ホース継手本体３１の小径部３１ａに係合される係合部２１１ｅが形成されている。
摺接部２１１ｇは、図９（ｄ）、（ｅ）に示すように、通水路２１２ｐ（ホース継手接続部２１２ｂ側）の内周面に沿って平面視円弧状に形成されており、該摺接部２１１ｇが通水路２１２ｐ（ホース継手接続部２１２ｂ側）の内周面に摺接されながら止水弁２１１が摺動するようになっている。
【００５３】
係合部２１１ｅは、ホース継手本体３１の小径部３１ａの内径より拡径の平面視円弧状に形成されている。係合部２１１ｅは、図９（ｃ）に示すように、半円以上の円弧状に形成されており、係合部２１１ｅが小径部３１ａに確実に係合して止水弁２１１がホース継手本体３１内に落ち込まないようになっている。係合部２１１ｅの円弧両端部の上部には、一対のガイド部材２１１ｈ・２１１ｈ（傾動規制部材）が設けられている。
【００５４】
ガイド部材２１１ｈ・２１１ｈは、通水路２１２ｐ（ホース継手接続部２１２ｂ側）の内周面に内接して止水弁２１１の弁軸Ｓ２直交方向への傾動を規制する、弾性変形可能な部材（例えば、プラスチック製）である。ガイド部材２１１ｈ・２１１ｈは、係合部２１１ｅの円弧両端部の上部に立設され、上端部が止水弁２１１の上下中途部に位置するようになっている。ガイド部材２１１ｈ・２１１ｈは、図９（ｄ）に示すように、止水弁２１１の弁軸Ｓ２方向に長手方向を有する断面形状が円弧状の板状部材であって、前記摺接部２１１ｇと同一円周上に形成されている。ガイド部材２１１ｈ・２１１ｈは、係合部２１１ｅとの結合部（部材下部）を支点に部材上部が撓んで弾性変形するようになっている。具体的には、ガイド部材２１１ｈ・２１１ｈは、図９（ｂ）に示すように、部材上部が相互に近づくように撓んで弾性変形（二点鎖線で示すガイド部材２１１ｈ・２１１ｈ）するようになっている。
【００５５】
次に、給水時及び給水停止時における第二実施例に係る止水弁２１１の挙動について、図１０から図１２を用いて説明する。なお、図１０から図１２に示す「黒矢印」は、水の流れ（水路）を示す。
【００５６】
まず、図１０に示す給水時においては、水栓２に接続された水栓継手２０１にホース継手３が装着されており、止水弁２１１の係合部２１１ｅにホース継手本体３１の小径部３１ａが係合されることにより、止水弁２１１（栓部２１１ａ）がバネ１５の付勢力に抗して水栓２側へ移動して弁座２１２ｄから離間する（すなわち、止水弁２１１は、図１１に示す姿勢から図１０に示す姿勢へと変化する）。
ここで、止水弁２１１は、摺接部２１１ｇ及びガイド部材２１１ｈ・２１１ｈが通水路２１２ｐ（ホース継手接続部２１２ｂ側）の内周面に摺接して弁座２１２ｄから離間する。離間が完了した状態においては、止水弁２１１は、摺接部２１１ｇ及びガイド部材２１１ｈ・２１１ｈが通水路２１２ｐ（ホース継手接続部２１２ｂ側）の内周面に内接している。すなわち、摺接部２１１ｇ及びガイド部材２１１ｈ・２１１ｈが通水路２１２ｐ（ホース継手接続部２１２ｂ側）の内周面に内接して協動することにより、止水弁２１１の弁軸Ｓ２直交方向への相対的移動が規制されている。
こうして、止水弁１１は、摺接部２１１ｇ及びガイド部材２１１ｈ・２１１ｈが通水路２１２ｐ（ホース継手接続部２１２ｂ側）の内周面に内接することにより、弁軸Ｓ２が水栓継手本体２１２の中心軸（通水路２１２ｐの中心）と略一致した状態で拘束されて、弁軸Ｓ２直交方向への傾動が規制されている。
【００５７】
次に、図１１に示す給水停止時においては、水栓継手１とホース継手３とが接続された給水中の状態から、水栓継手１からホース継手３が脱落した状態となっている。
この状態では、止水弁２１１の係合部２１１ｅとホース継手本体３１の小径部３１ａとの係合が外れ、止水弁２１１（栓部２１１ａ）がバネ１５の付勢力によりホース４側へ移動して弁座２１２ｄに着座する（すなわち、止水弁２１１は、図１０に示す姿勢から図１１に示す姿勢へと変化する）。
そして、止水弁２１１は、前記離間の際と同様に、摺接部２１１ｇ及びガイド部材２１１ｈ・２１１ｈが通水路２１２ｐ（ホース継手接続部２１２ｂ側）の内周面に摺接して弁座２１２ｄに着座する。着座が完了した状態においても、止水弁２１１は、摺接部２１１ｇ及びガイド部材２１１ｈ・２１１ｈが通水路２１２ｐ（ホース継手接続部２１２ｂ側）の内周面に内接しており、弁軸Ｓ２が水栓継手本体２１２の中心軸（通水路２１２ｐの中心）と略一致した状態で拘束されて、弁軸Ｓ２直交方向への傾動が規制されたままである。
【００５８】
ここで、水栓２からホース４への給水が行われている給水時からホース継手３が脱落して給水停止時の状態になった場合には、水栓継手２０１内には、水栓２から圧送された水が充填されており、止水弁２１１（栓部２１１ａ）を弁座２１２ｄに押圧する内圧が作用している。
その際には、水栓２を閉じた上で、図１２に示すように、栓部２１１ａの一側（例えば、図１２において摺接部２１１ｇ側）を支点として止水弁２１１を傾動（角度θ２）させること（てこの原理）により、栓部２１１ａの他側を弁座２１２ｄから僅かに離間させて、水栓継手２０１内に充填されている水を外部に放出し、内圧を容易に低減できる。止水弁２１１は、前述のようにガイド部材２１１ｈ・２１１ｈの部材上部が撓んで弾性変形（図９（ｂ）参照）することにより傾動する。
【００５９】
以上のように、第二実施例に係る水栓継手２０１においては、前記止水弁２１１には、前記通水路２１２ｐ（ホース継手接続部２１２ｂ側）の内周面に内接して該止水弁２１１の弁軸Ｓ２直交方向への傾動を規制する、弾性変形可能な一対のガイド部材２１１ｈ・２１１ｈが設けられ、前記ホース継手３が前記水栓継手本体１２から脱落した状態のときに、該一対のガイド部材２１１ｈ・２１１ｈが弾性変形することにより、該止水弁２１１が弁軸Ｓ２直交方向に傾動される。
このような構成により、ガイド部材２１１ｈ・２１１ｈによる簡易かつ安価な構成で、給水時における止水弁２１１の傾動が確実に規制されて止水弁２１１の姿勢が安定することにより給水が安定する。また、給水停止時においてはガイド部材２１１ｈ・２１１ｈが弾性変形することにより止水弁２１１を傾動させて内圧を容易に減圧できる。
【図面の簡単な説明】
【００６０】
【図１】水栓とホースとを接続した本発明の第一実施例に係る水栓継手を示した断面図。
【図２】第一実施例に係る水栓継手本体を示した断面図。
【図３】（ａ）第一実施例に係る止水弁を示した正面図（ｂ）（ａ）におけるＡ―Ａ’端面図（ｃ）同じくＢ―Ｂ’端面図（ｄ）同じくＣ―Ｃ’端面図。
【図４】給水時の第一実施例に係る水栓継手の内部構造を示した断面図。
【図５】給水停止時の第一実施例に係る水栓継手の内部構造を示した断面図。
【図６】給水停止時に止水弁を傾動させた状態の第一実施例に係る水栓継手の内部構造を示した断面図。
【図７】水栓とホースとを接続した本発明の第二実施例に係る水栓継手を示した断面図。
【図８】第二実施例に係る水栓継手本体を示した断面図。
【図９】（ａ）第二実施例に係る止水弁を示した正面図（ｂ）同じく右側面図（ｃ）同じく底面図（ｄ）（ｂ）におけるＡ―Ａ’端面図（ｅ）同じくＢ―Ｂ’端面図。
【図１０】給水時の第二実施例に係る水栓継手の内部構造を示した断面図。
【図１１】給水停止時の第二実施例に係る水栓継手の内部構造を示した断面図。
【図１２】給水停止時に止水弁を傾動させた状態の第二実施例に係る水栓継手の内部構造を示した断面図。
【図１３】水栓とホースとを接続した従来の水栓継手を示した断面図。
【図１４】給水停止時の従来の水栓継手を示した断面図。
【図１５】給水時に止水弁の姿勢が不安定となった状態の従来の水栓継手を示した断面図。
【符号の説明】
【００６１】
１    水栓継手
２    水栓
３    ホース継手
４    ホース
１１    止水弁
１１ｃ    突起部（傾動規制部材）
１１ｄ    受け部
１１ｅ    係合部
１２    水栓継手本体（継手本体）
１２ｄ    弁座
１２ｅ    当接部
１２ｐ    通水路
１５    バネ
２０１    水栓継手
２１１    止水弁
２１１ｄ    受け部
２１１ｈ    ガイド部材（傾動規制部材）
２１２    水栓継手本体（継手本体）
２１２ｄ    弁座
２１２ｐ    通水路
【図１】
0004980844.tif 000002
【図２】
0004980844.tif 000003
【図３】
0004980844.tif 000004
【図４】
0004980844.tif 000005
【図５】
0004980844.tif 000006
【図６】
0004980844.tif 000007
【図７】
0004980844.tif 000008
【図８】
0004980844.tif 000009
【図９】
0004980844.tif 000010
【図１０】
0004980844.tif 000011
【図１１】
0004980844.tif 000012
【図１２】
0004980844.tif 000013
【図１３】
0004980844.tif 000014
【図１４】
0004980844.tif 000015
【図１５】
0004980844.tif 000016